(57)【要約】【課題】本発明は、帯電ブラシに寝癖が付いた状態で回転させても帯電不良を抑止することができる画像形成装置を提供することを目的とするものである。【解決手段】帯電ブラシ２３の回転軸には駆動機構４３が設けられており、帯電ブラシ２３は、駆動機構４３により感光体ドラム２４との接触部分において感光体ドラム２４の回転方向と同一方向又は反対方向に回転するとともに回転速度を可変とすることができるようになっている。ブラシ回転制御部１１１は、回転速度テーブル１１３に記憶された設定値に基づいて駆動機構４４を制御して帯電ブラシ２３の回転方向及び回転速度を変更し、画像形成区間で帯電ブラシ２３を感光体ドラム２４との接触部分において同一方向に回転させるとともに非画像形成区間で反対方向に回転させる。【選択図】図３
2008046202.tif 000002
【特許請求の範囲】
【請求項１】
像担持体と、前記像担持体の表面に帯電ブラシを接触させて帯電させる帯電手段と、前記像担持体の帯電表面を露光して静電潜像を形成する露光手段と、前記像担持体表面に形成された静電潜像にトナーを付着させて可視像化する現像手段と、前記像担持体の表面に形成されたトナー像を用紙に転写させる転写手段と、前記像担持体を回転制御するとともに用紙に画像形成するように前記各手段を制御する制御手段とを備えた画像形成装置において、前記帯電ブラシを前記像担持体との接触部分で前記像担持体の回転方向と同一方向又は反対方向に回転させるブラシ回転手段を備えていることを特徴とする画像形成装置。
【請求項２】
前記ブラシ回転手段は、画像形成期間において前記帯電ブラシを前記像担持体との接触部分で前記像担持体の回転方向と同一方向に回転させることを特徴とする請求項１に記載の画像形成装置。
【請求項３】
前記ブラシ回転手段は、前記画像形成期間の前後の非画像形成期間において少なくとも１回前記帯電ブラシを前記像担持体との接触部分で前記像担持体の回転方向と反対方向に回転させることを特徴とする請求項１又は２に記載の画像形成装置。
【請求項４】
前記ブラシ回転手段は、前記帯電ブラシの回転方向の切換時に前記帯電ブラシの回転を一旦停止することを特徴とする請求項１から３のいずれかに記載の画像形成装置。
【請求項５】
装置内の温度又は湿度を検知する検知手段を備えており、前記ブラシ回転手段は、前記検知手段の検知出力に応じて前記帯電ブラシの反対方向の回転時間を変更するように設定することを特徴とする請求項１から４のいずれかに記載の画像形成装置。
【請求項６】
前記像担持体が回転停止している時間を計測する計測手段を備えており、前記ブラシ回転手段は、前記計測手段が所定時間以上計測した場合に前記帯電ブラシの反対方向の回転時間を変更するように設定することを特徴とする請求項１から５のいずれかに記載の画像形成装置。
【発明の詳細な説明】
【技術分野】
【０００１】
本発明は、複写機、プリンタ、ファクシミリ装置などの画像形成装置に関する。
【背景技術】
【０００２】
電子写真方式の画像形成装置としては、像担持体として例えば感光体ドラムを用いて、その表面を帯電して露光することで静電潜像を形成し、静電潜像にトナーを付着させて可視像化し用紙に転写するといった画像形成を行うものが知られている。
【０００３】
こうした画像形成装置では、感光体ドラムの表面を帯電させる方式の１つとして帯電ブラシを表面に接触させて電圧を印加する方式が用いられており、例えば、図４に示すように、感光体ドラム１００に対して帯電ブラシ１０１を回転させながら感光体１００の表面を帯電するようになっている。図４では、帯電ブラシ１０１は、感光体ドラム１００に接触する部分において感光体ドラム１００の回転方向とは反対方向に回転して帯電している。
【０００４】
このように帯電ブラシの回転制御としては、例えば、特許文献１では、接触帯電手段の回転速度を切り替え可能とし、切り替え後の回転速度で像担持体に接触する時間を環境検知手段の情報を基に可変とした点が記載されている。また、特許文献２では、感光体の表面を帯電する回転帯電ブラシと、回転帯電ブラシに当接した状態で回転するフリッカ部材を備え、回転帯電ブラシとフリッカ部材が互いに異なる方向に回転する点が記載されている。また、特許文献３では、画像形成時に帯電ブラシを感光体の回転方向と順方向に回転させるとともに非画像形成時に画像形成時とは逆方向に間欠的に回転させる点が記載されている。
【特許文献１】特開２００３−１６２１３２号公報
【特許文献２】特開２００５−４９５７１号公報
【特許文献３】特開２００４−１８４９３４号公報
【発明の開示】
【発明が解決しようとする課題】
【０００５】
図４に示すような従来の帯電ブラシの回転方式では、帯電ブラシ１０１及び感光体ドラム１００は、接触部分で互いに反対方向に回転しているため、帯電ブラシ１０１の回転が感光体ドラム１００の回転動作を制動するように作用する。こうした回転動作を行うため、感光体ドラム１００及び帯電ブラシ１０１は、同一の駆動源から駆動力が伝達されて回転するようになっており、図５に示すように、感光体ドラム１００の回転軸に固定されたギアＧ１から伝達ギアＧ２を介して帯電ブラシ１０１の回転軸に固定されたギアＧ３が連結されて、感光体ドラム１００及び帯電ブラシ１０１が同期して回転するようになっている。
【０００６】
ところで、帯電ブラシ１０１は、装置の停止が長時間に及ぶと、感光体ドラム１００に接触している部分の毛が倒れて、いわゆる寝癖が付いた状態になるという問題点が指摘されている。帯電ブラシ１０１の一部分に寝癖が付いた状態で回転すると、寝癖が付いた部分が感光体ドラム１００に接触するときには、上述した制動作用が弱くなり、感光体ドラム１００はその分速く回転するようになる。すなわち、駆動伝達機構としてギア列を用いる場合、各ギアの歯の間にバックラッシ（歯間の遊び）が形成されているので、帯電ブラシ１０１の制動作用が弱まると、バックラッシの分だけ不連続に感光体ドラム１００の回転速度が速くなる。そのため、感光体ドラム１００の表面において回転速度が不連続に速くなった範囲だけ帯電ブラシ１０１との接触が不十分となり、部分的に帯電不良が発生するおそれがある。
【０００７】
そこで、本発明は、帯電ブラシに寝癖が付いた状態で回転させても帯電不良を抑止することができる画像形成装置を提供することを目的とするものである。
【課題を解決するための手段】
【０００８】
本発明に係る画像形成装置は、像担持体と、前記像担持体の表面に帯電ブラシを接触させて帯電させる帯電手段と、前記像担持体の帯電表面を露光して静電潜像を形成する露光手段と、前記像担持体表面に形成された静電潜像にトナーを付着させて可視像化する現像手段と、前記像担持体の表面に形成されたトナー像を用紙に転写させる転写手段と、前記像担持体を回転制御するとともに用紙に画像形成するように前記各手段を制御する制御手段とを備えた画像形成装置において、前記帯電ブラシを前記像担持体との接触部分で前記像担持体の回転方向と同一方向又は反対方向に回転させるブラシ回転手段を備えていることを特徴とする。さらに、前記ブラシ回転手段は、画像形成期間において前記帯電ブラシを前記像担持体との接触部分で前記像担持体の回転方向と同一方向に回転させることを特徴とする。さらに、前記ブラシ回転手段は、前記画像形成期間の前後の非画像形成期間において少なくとも１回前記帯電ブラシを前記像担持体との接触部分で前記像担持体の回転方向と反対方向に回転させることを特徴とする。さらに、前記ブラシ回転手段は、前記帯電ブラシの回転方向の切換時に前記帯電ブラシの回転を一旦停止することを特徴とする。さらに、装置内の温度又は湿度を検知する検知手段を備えており、前記ブラシ回転手段は、前記検知手段の検知出力に応じて前記帯電ブラシの反対方向の回転時間を変更するように設定することを特徴とする。さらに、前記像担持体が回転停止している時間を計測する計測手段を備えており、前記ブラシ回転手段は、前記計測手段が所定時間以上計測した場合に前記帯電ブラシの反対方向の回転時間を変更するように設定することを特徴とする。
【発明の効果】
【０００９】
上記のような構成を有することで、帯電ブラシを像担持体との接触部分において像担持体の回転方向と同一方向に回転させて、帯電ブラシを像担持体と反対方向に回転させた場合に生じる上述のような帯電不良を抑止することができる。すなわち、帯電ブラシを像担持体との接触部分において像担持体の回転方向と同一方向に回転させることで、帯電ブラシに寝癖が付いた部分が接触しても像担持体の回転速度に影響を与えることがなく、帯電不良が発生することが抑止される。また、帯電ブラシを像担持体との接触部分において像担持体の回転方向と反対方向に回転させて、帯電ブラシの寝癖を矯正するとともに接触部分での像担持体との間の相対速度が大きくなって効率よくクリーニングすることができ帯電不良の発生が抑えられる。
【００１０】
そして、画像形成期間において帯電ブラシを像担持体との接触部分で像担持体の回転方向と同一方向に回転させることで、帯電不良が問題となる画像形成時に帯電不良を抑止することができる。また、画像形成期間の前後の非画像形成期間において少なくとも１回帯電ブラシを像担持体との接触部分で像担持体の回転方向と反対方向に回転させることで、帯電ブラシの寝癖の矯正及びクリーニングを行うことができ、反対方向への回転による帯電不良が発生しても非画像形成期間であるので、問題は生じない。
【００１１】
また、帯電ブラシの寝癖が発生しやすいのは、温度又は湿度が低下した状態であることから、こうした環境条件を検知する検知手段を設けて、その検知出力に応じて帯電ブラシの反対方向の回転時間を変更することで帯電ブラシの寝癖による帯電不良の発生を抑えることができる。また、像担持体の回転が停止した状態が長時間継続すると、帯電ブラシの一部分のみが像担持体に接触した状態が継続して寝癖が付いた状態になることから、回転停止時間を計測する計測手段を設けて、計測手段が所定時間以上計測した場合に帯電ブラシの反対方向の回転時間を変更することで帯電ブラシの寝癖による帯電不良の発生を抑えることができる。
【発明を実施するための最良の形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る実施形態である画像形成装置の全体構成図である。画像形成装置の上部には原稿を搬送して原稿を読み取る原稿読取部１が配置され、その下部に画像を記録する記録部２、画像を記録する用紙を搬送する用紙搬送部３及び給紙部４が配されている。
【００１４】
原稿読取部１は、原稿搬送装置（ＡＤＦ）を内部に備えたカバー部１０と、スキャナ１１を備えた読取本体部１２からなる。読取本体部１２の上面には、搬送される原稿を読み取る部分にプラテンガラス１３が配置され、原稿や本等を載置して読み取る部分に透明なガラス材からなる載置ベッド１４が配置されている。搬送原稿を読み取る場合にはスキャナ１１をプラテンガラス１３に対向する位置に静止させて読取動作を行い、載置ベッド１４に載置された原稿等を読み取る場合にはスキャナ１１で原稿等の読取面に対して走査して読取動作を行うようにする。
【００１５】
カバー部１０の載置ベッド１４に対向する面には原稿押え１５が取り付けられており、また、その上部には複数枚の原稿を載置しておく原稿トレイ１６が設けられている。原稿トレイ１６に載置された原稿は、ピックアップローラ１７及びセパレートローラ１８によりＡＤＦ内に搬入されてフィードローラ１９によりプラテンガラス１３に対向する読取位置に搬送されてスキャン１１により読み取られ排出ローラ２０により原稿排出トレイ２１に排出される。
【００１６】
記録部２では、用紙搬送部３により搬送された用紙に記録するために、現像器２２、帯電ブラシ２３、感光体ドラム２４、転写ローラ２５、ＬＥＤ露光ヘッド２６、メモリ除去ブラシ２７及び定着ローラ２８が備えられている。まず、感光体ドラム２４の表面を帯電ブラシ２３により一様に帯電させ、帯電された感光体ドラム２４の表面にＬＥＤ露光ヘッド２６で画像記録信号に応じて露光することで静電潜像を形成する。次に、現像器２２内のトナーを供給ローラ及び現像ローラによって感光体ドラム２４に形成された静電潜像に転移させて可視像化し、転写ローラ２５により感光体ドラム２４表面に形成されたトナー像を用紙に転写する。そして、転写されたトナー像は、定着ローラ２８によって加熱・プレスして用紙に定着される。
【００１７】
こうして、感光体への帯電、露光、現像、用紙への転写及び定着といった一連のプロセスが行われて、用紙に画像形成がなされる。転写後に感光体ドラム２４の表面に残留したトナーは、メモリ除去ブラシ（ＥＲＳブラシ）２７により付着力が弱められ、感光体ドラム１０の表面上に分散させられる。そして、残留トナーは、現像器２２の現像ローラに回収される。
【００１８】
給紙部４には、給紙カセット５に複数枚の用紙が積載してセットされており、給紙ローラ２９により一枚ずつ用紙搬送部３に給紙される。給紙された用紙は、フィードローラ３０により搬送されてフィードローラ３１及び３２に挟持される。そして、フィードローラ３１により記録部２に用紙が搬送されて画像形成され、画像形成処理された用紙は定着ローラ２８及びフィードローラ３３の間に挟持されて定着処理を行った後排紙ローラ３４により排紙トレイ３５に搬出される。
【００１９】
図２は、画像形成装置の全体ブロック図を示している。本実施形態では、ファクシミリ機能及び複写機能を備えており、具体的には、制御手段であるＭＰＵ１００、ネットワークとの交信制御を行うＮＣＵ１０１、ファクシミリ交信制御を行うＭＯＤＥＭ１０２、プログラム等を記憶するＲＯＭ１０３、データ等を記憶するＲＡＭ１０４、受信したり読み取った画像情報を記憶する画像メモリ１０５、画像情報を符号化又は復号化するＣＯＤＥＣ１０６、操作者からの入力情報や警告等の報知情報を送受信する操作部１０７、画像情報を読み取るスキャナ１０８、外部のコンピュータ等からのプリント指令を受信するプリンタインタフェース１０９を備えている。これらの各機能ブロックは、互いにデータバス及びアドレスバスにより接続されており、ＭＰＵ１００により全体制御されるようになっている。そして、ファクシミリで受信した情報、スキャナで読み取った情報及びプリント指令とともに受信した情報は、記録部コントローラ１１０に送信されて用紙に画像形成されるようになる。
【００２０】
図３は、記録部２における回路構成を示す概略図である。上述したように感光体ドラム２４の周囲には、その回転方向に沿って帯電ブラシ２３、ＬＥＤ露光ヘッド２６、現像器２２、転写ローラ２５及びＥＲＳブラシ２７が順に配列されている。
【００２１】
帯電ブラシ２３は、回転軸の周囲に同じ長さの多数の導電性線条体が放射状に密集して植設されており、感光体ドラム２４との接触部分では導電性線条体が撓んだ状態で圧接される。帯電ブラシ２３の回転軸には駆動機構４３が設けられており、帯電ブラシ２３は、駆動機構４３により感光体ドラム２４との接触部分において感光体ドラム２４の回転方向と同一方向（図３中の矢印Ｗの方向）又は反対方向（図３中の矢印Ｃの方向）に回転するとともに回転速度を可変とすることができるようになっている。
【００２２】
駆動機構４３としては、感光体ドラム２４等の回転駆動を行う主モータ４０とは別の駆動モータを用いて帯電ブラシ２３の回転軸を回転させる方法と、主モータ４０からの駆動力を無段変速機を介して伝達して帯電ブラシ２３の回転軸を回転させる方法がある。
【００２３】
帯電ブラシ２３の回転速度を変更する場合には、別の駆動モータを用いる場合には駆動モータの回転数を変更することで回転速度を変更することができ、無段変速機を用いる場合には、例えば、ベルト式ＣＶＴ方式のように、伝達用ベルトを一対のプーリで挟持してプーリの間の間隔を変更することで連続的に回転速度を変更することができる。
【００２４】
駆動機構４３において、帯電ブラシ２３の回転方向を切り換える機構としては、例えば、図６に示すような切換機構が挙げられる。この例では、帯電ブラシ２３の回転軸に固定された駆動ギア６０に対して、上下動可能に設けられた切換用ブラケット６１に、回転ギア６２及び６３、中間ギア６４を回転可能に配設している。回転ギア６２は、駆動ギア６０よりも上方に配設され、回転ギア６３は、駆動ギア６０よりも下方に配設されてる。そして、回転ギア６３に中間ギア６４が噛み合っている。
【００２５】
切換用ブラケット６１が下方に移動すると、図６（ｂ）に示すように、回転ギア６２が駆動ギア６０と噛み合うとともに図示しない感光体ドラム２４の回転駆動機構のギアと噛み合うようになっている。また、切換用ブラケット６１が上方に移動すると、図６（ｃ）に示すように、回転ギア６３が駆動ギア６０に噛み合うとともに中間ギアが図示しない感光体ドラム２４の回転駆動機構のギアと噛み合うようになっている。
【００２６】
したがって、感光体ドラム２４の回転駆動機構から伝達される駆動力により、回転ギア６２及び駆動ギア６１が噛み合った場合の帯電ブラシ２３の回転方向と、回転ギア６３及び駆動ギア６０が噛み合った場合の回転方向とは、互い逆方向に回転するようになる。
【００２７】
また、切換用ブラケット６１を上下動させて帯電ブラシ２３の回転方向の切換動作を行う際に、駆動ギア６０が回転ギア６２及び６３の両方からいったん離れた状態となるため、帯電ギア２３の回転が一瞬停止した状態となる。回転が一瞬停止してから別の回転ギアが噛み合って逆方向に回転するようになるので、回転方向の切換動作をスムーズに行うことができる。
【００２８】
帯電ブラシ２３には、帯電電圧印加回路５０が接続されており、正の帯電電圧ＨＶＣが印加される。記録部コントローラ１１０からの制御信号に基づいて帯電電圧印加回路５０が帯電電圧ＨＶＣを帯電ブラシ２３に印加すると感光体ドラム２４の表面は一様に帯電された状態となる。帯電ブラシ２３の下流側には、表面電位センサ３６が配置されており、感光体ドラム２４の表面電位を検知するようになっている。また、装置内の温度及び湿度を検知する環境状態検知センサ４４が帯電ブラシ２３の付近に設置されている。
【００２９】
ＬＥＤ露光ヘッド２６には、記録部コントローラ１１０から画像情報に基づく記録信号が送信され、記録信号に基づいてＬＥＤアレイをオンオフ制御して感光体ドラム２４の表面を選択照射し、感光体ドラム２４の一様に帯電された表面を露光して画像情報に対応した静電潜像を形成する。
【００３０】
現像器２２内の供給ローラ３７、現像ローラ３８及びブレード３９には現像電圧印加回路５１が接続されており、記録部コントローラ１１０からの制御信号に基づいて現像電圧印加回路５１がそれぞれに電圧を印加する。供給ローラ３７には所定の供給電圧が印加されて、現像器２２内のトナーを正に帯電させながら現像ローラ３８に供給する。現像ローラ３８には所定の現像電圧ＨＶＢが印加され、感光体ドラム２４の表面に接触しながら露光部分との電位差を利用してトナーを転移する。また、ブレード３９には所定のバイアス電圧が印加され、現像ローラ３８の表面に対して弾性力によって圧接し現像ローラ３８の表面に付着したトナー層の層厚を均一にする。
【００３１】
転写ローラ２５には、電流検出回路５２を介して転写電圧印加回路５３が接続されており、記録部コントローラ１１０からの制御信号に基づいて転写電圧印加回路５３が転写電圧ＨＶＴを転写ローラ２５に印加し、感光体ドラム２４の表面に形成されたトナー像を電界吸引力により用紙に転写する。電流検出回路５２は、転写ローラ２５と感光体ドラム２３との間で流れる電流値を検知し、検知された電流値に基づいて記録部コントローラ１１０が印加する転写電圧を調整する。
【００３２】
定着ローラ２８にはヒータ駆動回路５４が接続されており、記録部コントローラ１１０からの制御信号に基づいてヒータ駆動回路５４が動作して定着ローラ２８内のヒータランプを発熱させる。定着ローラ２８の表面温度を検知するためにサーミスタ５５が表面に接触して配置されており、サーミスタ５５の検知信号に基づいて記録部コントローラ１１０はヒータ駆動回路５４を制御し、定着ローラ２８の表面温度を所定温度に維持するようにする。
【００３３】
ＥＲＳブラシ２７には分散電圧印加回路５６が接続されており、記録部コントローラ１１０からの制御信号に基づいて分散電圧印加回路５６が分散電圧ＨＶＣＬをＥＲＳブラシ２７に印加し、感光体ドラム２４表面の残留トナーを効率よく分散させるようにする。
【００３４】
記録部コントローラ１１０は、主モータ４０に対して制御信号を送信して駆動制御を行う。主モータ４０は、記録部コントローラ１１０からの制御信号に基づいて、記録部２の感光体ドラム２４等の回転体、用紙搬送部３の各フィードローラ及び給紙部４の給紙ローラ２９を回転制御して、用紙を搬送しながら一連の画像形成処理を行う。給紙動作に際しては、クラッチ４１をオンオフ制御して給紙ローラ２９を回転制御して給紙し、用紙検知センサ４２からの検知信号に基づき搬送制御を行う。
【００３５】
記録部コントローラ１１０は、ブラシ回転制御部１１１、タイマ１１２及び回転速度テーブル１１３を備えており、ブラシ回転制御部１１１は、回転設定テーブル１１３に記憶された設定値に基づいて駆動機構４４を制御して帯電ブラシ２３の回転方向及び回転速度並びに反対方向の回転時間を変更し、帯電ブラシ２３を感光体ドラム２４との接触部分において感光体ドラム２４の回転方向と同一方向（図３中の矢印Ｗの方向）又は反対方向（図３中の矢印Ｃの方向）に回転させるとともに感光体ドラム２４よりも速く回転させることもでき、さらに反対方向の回転時間を調整することで帯電ブラシ２３の寝癖状態の矯正及びクリーニングに必要な時間を確保できる。タイマ１１２は、主モータ４０の回転停止時間を計測するために用いられる。回転設定テーブル１１３は、帯電ブラシ２３の回転速度及び反対方向の回転時間について種々の条件下（主モータの回転停止時間、温度、湿度をパラメータとする条件設定）での設定値を記憶する。一般に、回転停止時間が長いほど帯電ブラシの寝癖が付きやすくなるため、回転速度やを大きくしたり反対方向の回転時間を長く設定する。また、温度及び湿度については、温度又は湿度が低下するほど帯電ブラシの寝癖が付きやすくなるため、同様に回転速度を大きくしたり反対方向の回転時間を長く設定する。
【００３６】
図７は、画像処理を行う場合の主モータ４０の回転駆動動作及び駆動機構４３のギアの切換動作に関するタイムチャートを示している。主モータ４０は、記録信号が入力されて駆動回転を開始し、前回転区間Ｔ０、画像形成区間Ｔ１及び後回転区間Ｔ２の間継続して駆動回転が行われる。前回転区間Ｔ０では、定着ローラ２８の加熱して感光体ドラム２４を回転させ画像形成処理のための準備処理を行い、画像形成処理区間Ｔ１では給紙を開始して用紙に画像形成処理を行い、記録信号の終了とともに後回転区間Ｔ２で感光体ドラム２４のクリーニング動作等が行われる。
【００３７】
駆動機構４３は、帯電ブラシ２３を感光体ドラム２４との接触部分において感光体ドラム２４の回転方向と同一方向に回転させる切換状態Ｗ、両方の回転ギアから切り離されて帯電ブラシ２３の回転がいったん停止した切離し状態Ｎ及び帯電ブラシ２３を感光体ドラム２４との接触部分において感光体ドラム２４の回転方向と反対方向に回転させる切換状態Ｃの３つの状態に設定される。
【００３８】
まず、前回転区間Ｔ０では、主モータ４０の駆動回転開始から所定時間経過後に切換状態Ｃに設定されて、切換区間Ｔ01だけ感光体ドラム２４との接触部分で反対方向に回転させることで、待機時に帯電ブラシ２３に付いた寝癖を起こすようにして寝癖の状態を矯正するとともに、接触部分での感光体ドラム２４との間の相対速度を大きくすることで帯電ブラシ２３に付着したトナー等を感光体ドラム２４に転移しやすくしてクリーニング効率を向上させる。
【００３９】
そして、画像形成区間Ｔ１では、その直前で切換動作を行うことで、一旦切離し状態Ｎとなって帯電ブラシ２３の回転を停止し、切換状態Ｗに設定して、感光体ドラム２４との接触部分で同一方向に回転させる。画像形成区間Ｔ１では、帯電ブラシ２３を感光体ドラム２４との接触部分において感光体ドラム２４の回転方向と同一方向に回転させることで、帯電ブラシ２３に寝癖が付いた部分が感光体ドラム２４に接触してもその回転速度に影響を与えることがなく、帯電不良が発生することが抑止される。この場合、帯電ブラシ２３を感光体ドラム２４の接触部分において感光体ドラム２４よりも速く回転させれば、さらに寝癖の付いた部分が接触する際の影響を抑えることが可能となる。
【００４０】
後回転区間Ｔ２では、一旦切離し状態Ｎに設定した後切換状態Ｃに設定し、切換区間Ｔ21だけ感光体ドラム２４との接触部分で反対方向に回転させることで、前回転区間Ｔ０の場合と同様に帯電ブラシ２３の効率的なクリーニングを行うことができる。
【００４１】
以上説明した例では、前回転区間Ｔ０及び後回転区間Ｔ２において駆動機構４３を切換状態Ｃに設定しているが、どちらか一方のみの区間で設定するようにしてもよい。
【００４２】
また、画像形成区間Ｔ１では、温度や湿度といった環境状態の変化や主モータ４０の回転停止時間の長さによって帯電ブラシ２３の寝癖の状態が変化することから、そうした変化に対応して帯電ブラシ２３の回転速度を調整することが望ましい。
【００４３】
図８は、前回転区間Ｔ０において、帯電ブラシ２３の反対方向の回転時間（切換区間Ｔ01）の長さを環境状態に基づいて変更するための処理フローである。まず、記録信号が受信されたかチェックし（Ｓ１００）、記録信号が受信されると、環境状態検知センサ４４の検知出力を読み込み（Ｓ１０１）、回転設定テーブル１１３から対応する反対方向の回転時間の設定値を読み出して回転時間を決定する（Ｓ１０２）。そして、駆動機構４３を切換状態Ｃに設定して帯電ブラシ２３の回転を開始し（Ｓ１０３）、設定された回転時間だけ反対方向に回転した（Ｓ１０４）後帯電ブラシ２３の回転を停止する（Ｓ１０５）。帯電ブラシ２３の回転停止は、駆動機構４３を切離し状態Ｎに設定すればよい。そして、駆動機構４３を切換動作して切換状態Ｗに設定し（Ｓ１０６）、帯電ブラシ２３を同一方向に回転させて（Ｓ１０７）記録処理を行う（Ｓ１０８）。記録が終了したかチェックし（Ｓ１０９）、終了していなければ記録処理を続行する。記録が終了した場合には帯電ブラシの回転を停止して（Ｓ１１０）終了する。
【００４４】
図９は、画像形成区間Ｔ１において、帯電ブラシ２３の反対方向の回転時間（切換区間Ｔ01）の長さを主モータ４０の回転停止時間に基づいて変更するための処理フローである。まず、記録信号が受信されたかチェックし（Ｓ２００）、記録信号が受信されると、タイマ２４からの時刻信号に基づいて積算した主モータ４０の回転停止時間を読み込み（Ｓ２０１）、回転設定テーブル１１３から対応する反対方向の回転時間の設定値を読み出して回転時間を決定する（Ｓ２０２）。そして、駆動機構４３を切換状態Ｃに設定して帯電ブラシ２３の回転を開始し（Ｓ２０３）、設定された回転時間だけ反対方向に回転した（Ｓ２０４）後帯電ブラシ２３の回転を停止する（Ｓ２０５）。帯電ブラシ２３の回転停止は、駆動機構４３を切離し状態Ｎに設定すればよい。そして、駆動機構４３を切換動作して切換状態Ｗに設定し（Ｓ２０６）、帯電ブラシ２３を同一方向に回転させて（Ｓ２０７）記録処理を行う（Ｓ２０８）。記録が終了したかチェックし（Ｓ２０９）、終了していなければ記録処理を続行する。記録が終了した場合には帯電ブラシの回転を停止し（Ｓ２１０）、回転停止時間のカウントを開始して（Ｓ２１１）終了する。
【００４５】
以上のように、装置内の環境状態及び主モータの回転停止時間に基づいて帯電ブラシの反対方向の回転時間を調整しているので、帯電ブラシの寝癖の状態に応じてその矯正に必要な時間を設定して寝癖を矯正することで帯電不良の発生をできる限り抑えることが可能となる。
【図面の簡単な説明】
【００４６】
【図１】本発明に係る実施形態に関する画像形成装置全体の概略断面図である。
【図２】画像形成装置の全体ブロック図を示している。
【図３】記録部における回路構成を示す概略図である。
【図４】従来の帯電ブラシの回転動作に関する説明図である。
【図５】従来の帯電ブラシの回転駆動伝達機構に関する説明図である。
【図６】駆動機構のギアの切換機構に関する説明図である。
【図７】画像処理を行う場合の主モータの回転駆動動作及び駆動機構のギアの切換動作に関するタイムチャート
【図８】反対方向の回転時間を環境状態に基づいて変更するための処理フローである。
【図９】反対方向の回転時間を回転停止時間に基づいて変更するための処理フローである。
【符号の説明】
【００４７】
１    画像形成装置
２    記録部
３    用紙搬送部
４    給紙部
５    給紙カセット
23    帯電ブラシ
43    駆動機構
44    環境状態検知センサ
【図１】
2008046202.tif 000003
【図２】
2008046202.tif 000004
【図３】
2008046202.tif 000005
【図４】
2008046202.tif 000006
【図５】
2008046202.tif 000007
【図６】
2008046202.tif 000008
【図７】
2008046202.tif 000009
【図８】
2008046202.tif 000010
【図９】
2008046202.tif 000011